(57)【要約】【課題】試料や試薬が汚染されるのを防止することが可能な検出容器を提供する。【解決手段】この検出容器（検出セル）１は、開口部１２と、光が照射される光照射部１１とを有するとともに、内部に試料が収容されるセル部１３を含むセル部材１０と、セル部材１０に連結され、セル部材１０の開口部１２を密閉する密閉部３１を有する蓋部３０を含む蓋部材２０と、密閉部３１が開口部１２を密閉した状態を保持するフック部３２およびフック係合孔１４とを備えている。【選択図】図１
2005098961.tif 000002
【特許請求の範囲】
【請求項１】
開口部と、光が照射される光照射部とを有するとともに、内部に試料が収容される容器本体と、
前記容器本体に連結され、前記容器本体の開口部を密閉する密閉部を有する蓋部材と、
前記密閉部が前記開口部を密閉した状態を保持する密閉保持部とを備えた、検出容器。
【請求項２】
前記密閉保持部は、前記容器本体に設けられたフック係合部と、前記蓋部材に設けられ、前記フック係合部に係合可能なフック部とを含む、請求項１に記載の検出容器。
【請求項３】
前記フック係合部と前記フック部とは、前記密閉部が前記容器本体の開口部を密閉した状態で、係合するように構成されている、請求項２に記載の検出容器。
【請求項４】
前記光照射部は、前記容器本体の下部に形成されているとともに、光を透過する透明な光入射壁と、前記光入射壁と所定の間隔を隔てて対向するように配置された光を透過する透明な光出射壁とを含み、
前記開口部は、前記容器本体の上部に形成され、前記光照射部の横断面積よりも大きい横断面積を有する、請求項１〜３のいずれか１項に記載の検出容器。
【請求項５】
前記開口部は、円形状の開口部を含む、請求項４に記載の検出容器。
【請求項６】
前記容器本体は、
第１開口部と、光が照射される第１光照射部とを有するとともに、内部に試料が収容される第１容器本体部と、
第２開口部と、光が照射される第２光照射部とを有するとともに、内部に試料が収容される第２容器本体部とを含み、
前記蓋部材は、
前記第１容器本体部の第１開口部を密閉する第１密閉部と、
前記第２容器本体部の第２開口部を密閉する第２密閉部とを含む、請求項１〜５のいずれか１項に記載の検出容器。
【請求項７】
前記蓋部材は、前記第１密閉部と前記第２密閉部との間に形成され、伸縮可能な位置修正部を含む、請求項６に記載の検出容器。
【請求項８】
前記蓋部材は、つまみ部を含む、請求項１〜７のいずれか１項に記載の検出容器。
【請求項９】
前記試料は、標的核酸を含むことが疑われる試料であり、前記容器本体の内部で前記標的核酸の増幅が行われる、請求項１〜８のいずれか１項に記載の検出容器。
【請求項１０】
前記蓋部材は、
前記容器本体を取り付けるための容器本体取付孔を有する容器本体取付部と、
前記密閉部を含む蓋部と、
前記蓋部と前記容器本体取付部とを連結する連結部とを含む、請求項１〜９のいずれか１項に記載の検出容器。
【請求項１１】
前記容器本体は、蓋部材係合孔を含み、
前記蓋部材の容器本体取付部は、前記容器本体が前記容器本体取付部の容器本体取付孔に取り付けられた際に、前記容器本体の蓋部材係合孔に係合する容器本体係合片をさらに含む、請求項１０に記載の検出容器。
【請求項１２】
開口部および光が照射される光照射部を有するとともに、内部に試料が収容され、かつ、第１連結部により互いに連結される一対の容器本体と、前記一対の容器本体に連結され、前記容器本体の開口部を密閉する密閉部を有するとともに、第２連結部により互いに連結される一対の蓋部材と、前記密閉部が前記開口部を密閉した状態を保持する密閉保持部とを含む検出容器を収納するための検出容器用梱包容器であって、
前記検出容器の一対の容器本体を収納するための凹部と、
前記凹部に囲まれるように形成され、前記一対の容器本体の第１連結部と前記一対の蓋部材の第２連結部の前記第１連結部側の一部とを支持する凸形状の支持部とを備え、
前記支持部は、前記光照射部が前記梱包容器の凹部の内面に接触しないように、かつ、支持した状態で前記一対の蓋部材の第２連結部の前記第１連結部とは反対側の部分に上方向から押圧力を加えることにより前記検出容器を傾斜させて取り出すことが可能なように、前記検出容器を支持する、検出容器用梱包容器。
【請求項１３】
開口部および光が照射される光照射部を有するとともに、内部に試料が収容され、かつ、第１連結部により互いに連結される一対の容器本体と、前記一対の容器本体に連結され、前記容器本体の開口部を密閉する密閉部を有するとともに、第２連結部により互いに連結される一対の蓋部材と、前記密閉部が前記開口部を密閉した状態を保持する密閉保持部とを含む検出容器と、
前記検出容器の一対の容器本体を収納するための凹部と、前記凹部に囲まれるように形成され、前記一対の容器本体の第１連結部と前記一対の蓋部材の第２連結部の前記第１連結部側の一部とを支持する凸形状の支持部とを含む梱包容器とを備え、
前記梱包容器の支持部は、前記一対の容器本体の光照射部が前記梱包容器の凹部の内面に接触しないように、かつ、支持した状態で前記一対の蓋部材の第２連結部の前記第１連結部とは反対側の部分に上方向から押圧力を加えることにより前記検出容器を傾斜させて取り出すことが可能なように、前記検出容器を支持する、検出容器の梱包構造。
【請求項１４】
光が照射される光照射部を有するとともに、内部に試料を収容する複数の容器本体を有するセル部材と、前記複数の容器本体を密閉する複数の密閉部を有する蓋部材と、前記セル部材と前記蓋部材とを連結する連結部材とを含む検出容器を収納するための検出容器用梱包容器であって、
前記容器本体を収納するための第１凹部と、
前記蓋部材および前記連結部材の少なくとも一方を支持する第１支持部と、
前記光照射部が前記凹部の内面に接触しないように前記セル部材を支持する第２支持部とを備える、検出容器用梱包容器。
【請求項１５】
前記蓋部材および前記連結部材の少なくとも一方を支持したまま前記セル部材を上昇可能とするための第２凹部をさらに備える、請求項１４に記載の検出容器用梱包容器。
【請求項１６】
光が照射される光照射部を有するとともに、内部に試料を収容する複数の容器本体を有するセル部材と、前記複数の容器本体を密閉する複数の密閉部を有する蓋部材と、前記セル部材と前記蓋部材とを連結する連結部材とを含む検出容器と、
前記容器本体を収納するための第１凹部と、前記蓋部材および前記連結部材の少なくとも一方を支持する第１支持部と、前記光照射部が前記凹部の内面に接触しないように前記セル部材を支持する第２支持部とを含む検出容器用梱包容器とを備える、検出容器の梱包構造。
【発明の詳細な説明】
【技術分野】
【０００１】
本発明は、検出容器、検出容器用梱包容器および検出容器の梱包構造に関し、特に、内部に試料が収容される容器本体を含む検出容器、検出容器用梱包容器および検出容器の梱包構造に関する。
【背景技術】
【０００２】
従来、内部に核酸などの試料が収容される検出容器が知られている（たとえば、特許文献１および特許文献２参照）。上記特許文献１には、開口部を密閉した状態にするシール部材（蓋）を有する核酸を増幅するための反応チューブ（検出容器）が開示されている。そして、この特許文献１では、反応チューブの内部から増幅された試料の一部を吸引して、上部が開口した蓋のないウェルでインキュベーションし、上部が開口した蓋のない検出セルにその試料を分注して核酸の検出が行われる。
【０００３】
また、上記特許文献２には、別体で設けられた蓋を有する反応容器（検出容器）が開示されている。そして、この特許文献２では、蓋取り外し装置により、反応容器とは別体で設けられた蓋を反応容器に対して開閉しながら核酸の増幅および検出が行われる。
【特許文献１】ＷＯ９５／１１０８３号公報
【特許文献２】特許第３０５１６４９号公報
【発明の開示】
【発明が解決しようとする課題】
【０００４】
しかしながら、上記特許文献１に開示された反応チューブでは、核酸を増幅させた後に反応チューブを分析装置から除去する際などに、外力が加わると、シール部材が開く可能性がある。この場合には、反応チューブの内部から増幅された試料が外部に飛散して、他の試料や試薬が汚染されてしまう可能性があるという問題点がある。また、特許文献１に開示された技術では、核酸を検出するためには、反応チューブの内部から増幅された試料を吸引して、ウェルに移動し、さらに、ウェルから検出セルに試料を移す必要があるため、これによっても、他の試料や試薬が汚染されてしまう可能性があるという問題点がある。
【０００５】
また、上記特許文献２に開示された装置では、反応容器と蓋とが別体であるため、蓋取り外し装置によって反応容器の蓋を取り外して持ち上げる際に、蓋が他の容器上に落下する可能性がある。この場合、汚染された蓋により他の容器内の試料や試薬が汚染されるという問題点がある。また、蓋が落下しない場合にも、取り外し装置により持ち上げられた蓋に付着した液滴が他の容器内に落下することにより、他の容器内の試料や試薬が汚染される場合があるという問題点がある。
【０００６】
この発明は、上記のような課題を解決するためになされたものであり、試料や試薬が汚染されるのを防止することが可能な検出容器、検出容器用梱包容器および検出容器の梱包構造を提供することを目的とする。
【課題を解決するための手段および発明の効果】
【０００７】
上記目的を達成するために、この発明の第１の局面による検出容器は、開口部と、光が照射される光照射部とを有するとともに、内部に試料が収容される容器本体と、容器本体に連結され、容器本体の開口部を密閉する密閉部を有する蓋部材と、密閉部が開口部を密閉した状態を保持する密閉保持部とを備えている。
【０００８】
この第１の局面による検出容器では、上記のように、容器本体に蓋部材を連結することによって、蓋部材が他の検出容器上に落下することがないので、蓋部材の落下に起因して他の検出容器内の試料が汚染されるという不都合も生じない。また、密閉部が開口部を密閉した状態を保持する密閉保持部を設けることによって、検出容器の蓋部材が閉められた状態を保持することができるので、蓋部材が外力により開くのを防止することができる。これにより、蓋部材が開くことに起因する容器本体内の試料による他の試料や試薬の汚染を防止することができる。また、容器本体に、光が照射される光照射部を設けることによって、容器本体の光照射部内の試料に外部から光を照射することにより、核酸などの試料の検出を行うことができる。
【０００９】
上記第１の局面による検出容器において、好ましくは、密閉保持部は、容器本体に設けられたフック係合部と、蓋部材に設けられ、フック係合部に係合可能なフック部とを含む。このように構成すれば、フック係合部とフック部とを係合させることにより、容易に、検出容器の蓋部材が閉められた状態を保持することができる。
【００１０】
この場合、フック係合部とフック部とは、密閉部が容器本体の開口部を密閉した状態で、係合するように構成されている。このように構成すれば、密閉部により容器本体の開口部が密閉された状態を確実に保持することができる。
【００１１】
上記第１の局面による検出容器において、好ましくは、光照射部は、容器本体の下部に形成されているとともに、光を透過する透明な光入射壁と、光入射壁と所定の間隔を隔てて対向するように配置された光を透過する透明な光出射壁とを含み、開口部は、容器本体の上部に形成され、光照射部の横断面積よりも大きい横断面積を有する。このように構成すれば、光照射部の横断面積よりも大きい横断面積を有する開口部により、横断面積が小さい開口部に比べて、試料の注入が容易になる。また、横断面積の小さい光照射部により、微量の試料の場合にも、試料の測定に必要な液面高さを得ることができる。これにより、微量の試料の場合にも、光の照射により試料の測定を行うことができる。
【００１２】
この場合、開口部は、円形状の開口部を含むのが好ましい。このように構成すれば、開口部を矩形形状などにする場合に比べて、密閉部による密閉をより容易に行うことができる。
【００１３】
上記第１の局面による検出容器において、好ましくは、容器本体は、第１開口部と、光が照射される第１光照射部とを有するとともに、内部に試料が収容される第１容器本体部と、第２開口部と、光が照射される第２光照射部とを有するとともに、内部に試料が収容される第２容器本体部とを含み、蓋部材は、第１容器本体部の第１開口部を密閉する第１密閉部と、第２容器本体部の第２開口部を密閉する第２密閉部とを含む。このように構成すれば、２つの第１容器本体部および第２容器本体部を用いて、２つの試料の検出を並行して行うことができるので、検出の迅速化を図ることができる。
【００１４】
この場合、蓋部材は、第１密閉部と第２密閉部との間に形成され、伸縮可能な位置修正部を含む。このように構成すれば、位置修正部により、第１開口部および第２開口部に対する第１密閉部および第２密閉部の位置がずれていた場合にも、容易に、第１密閉部および第２密閉部の位置を適正な位置に修正することができるので、第１開口部および第２開口部に対して第１密閉部および第２密閉部による密閉を確実に行うことができる。
【００１５】
上記第１の局面による検出容器において、好ましくは、蓋部材は、つまみ部を含む。このように構成すれば、使用者は検出終了後につまみ部を把持して検出容器を容易に廃棄することができる。
【００１６】
上記第１の局面による検出容器において、好ましくは、試料は、標的核酸を含むことが疑われる試料であり、容器本体の内部で標的核酸の増幅が行われる。このように構成すれば、光照射部に光を照射することにより増幅された標的核酸を容易に検出することができる。
【００１７】
上記第１の局面による検出容器において、好ましくは、蓋部材は、容器本体を取り付けるための容器本体取付孔を有する容器本体取付部と、密閉部を含む蓋部と、蓋部と容器本体取付部とを連結する連結部とを含む。このように構成すれば、蓋部材の容器本体取付部の容器本体取付孔に容器本体を取り付けることにより、容易に、蓋部材と容器本体とを連結することができる。
【００１８】
この場合、容器本体は、蓋部材係合孔を含み、蓋部材の容器本体取付部は、容器本体が容器本体取付部の容器本体取付孔に取り付けられた際に、容器本体の蓋部材係合孔に係合する容器本体係合片をさらに含む。このように構成すれば、容器本体の蓋部材係合孔と蓋部材の容器本体取付部の容器本体係合片との係合により、蓋部材の容器本体取付孔に容器本体を取り付けた状態を保持することができるので、蓋部材の容器本体取付孔から容器本体が外れるのを防止することができる。
【００１９】
この発明の第２の局面による検出容器用梱包容器は、開口部および光が照射される光照射部を有するとともに、内部に試料が収容され、かつ、第１連結部により互いに連結される一対の容器本体と、一対の容器本体に連結され、容器本体の開口部を密閉する密閉部を有するとともに、第２連結部により互いに連結される一対の蓋部材と、密閉部が開口部を密閉した状態を保持する密閉保持部とを含む検出容器を収納するための梱包容器であって、検出容器の一対の容器本体を収納するための凹部と、凹部に囲まれるように形成され、一対の容器本体の第１連結部と一対の蓋部材の第２連結部の第１連結部側の一部とを支持する凸形状の支持部とを備えている。そして、支持部は、光照射部が梱包容器の凹部の内面に接触しないように、かつ、支持した状態で一対の蓋部材の第２連結部の第１連結部とは反対側の部分に上方向から押圧力を加えることにより検出容器を傾斜させて取り出すことが可能なように、検出容器を支持する。
【００２０】
この第２の局面による検出容器用梱包容器では、上記のように、一対の容器本体を収納するための凹部と、一対の容器本体の第１連結部と一対の蓋部材の第２連結部の第１連結部側の一部とを支持する凸形状の支持部とを設けるとともに、その支持部を、光照射部が梱包容器の凹部の内面に接触しないように、かつ、支持した状態で一対の蓋部材の第２連結部の第１連結部とは反対側の部分に上方向から押圧力を加えることにより検出容器を傾斜させて取り出すことが可能なように検出容器を支持するように構成することによって、検出容器の容器本体の光照射部が梱包容器の内面に接触して傷が付くのを防止することができるとともに、使用者が容易に検出容器を梱包容器から取り出すことができる。
【００２１】
この発明の第３の局面による検出容器の梱包構造は、開口部および光が照射される光照射部を有するとともに、内部に試料が収容され、かつ、第１連結部により互いに連結される一対の容器本体と、一対の容器本体に連結され、容器本体の開口部を密閉する密閉部を有するとともに、第２連結部により互いに連結される一対の蓋部材と、密閉部が開口部を密閉した状態を保持する密閉保持部とを含む検出容器と、検出容器の一対の容器本体を収納するための凹部と、凹部に囲まれるように形成され、一対の容器本体の第１連結部と一対の蓋部材の第２連結部の第１連結部側の一部とを支持する凸形状の支持部とを含む梱包容器とを備えている。そして、梱包容器の支持部は、一対の容器本体の光照射部が梱包容器の凹部の内面に接触しないように、かつ、支持した状態で一対の蓋部材の第２連結部の第１連結部とは反対側の部分に上方向から押圧力を加えることにより検出容器を傾斜させて取り出すことが可能なように、検出容器を支持する。
【００２２】
この第３の局面による検出容器の梱包構造では、上記のように、梱包容器に、一対の容器本体を収納するための凹部と、一対の容器本体の第１連結部と一対の蓋部材の第２連結部の第１連結部側の一部とを支持する凸形状の支持部とを設けるとともに、その支持部を、一対の容器本体の光照射部が梱包容器の凹部の内面に接触しないように、かつ、支持した状態で一対の蓋部材の第２連結部の第１連結部とは反対側の部分に上方向から押圧力を加えることにより検出容器を傾斜させて取り出すことが可能なように検出容器を支持するように構成することによって、検出容器の容器本体の光照射部が梱包容器の内面に接触して傷が付くのを防止することができるとともに、使用者が容易に検出容器を梱包容器から取り出すことができる。
【００２３】
この発明の第４の局面による検出容器用梱包容器は、光が照射される光照射部を有するとともに、内部に試料を収容する複数の容器本体を有するセル部材と、複数の容器本体を密閉する複数の密閉部を有する蓋部材と、セル部材と蓋部材とを連結する連結部材とを含む検出容器を収納するための検出容器用梱包容器であって、容器本体を収納するための第１凹部と、蓋部材および連結部材の少なくとも一方を支持する第１支持部と、光照射部が凹部の内面に接触しないようにセル部材を支持する第２支持部とを備えている。
【００２４】
この第４の局面による検出容器用梱包容器では、上記のように、光照射部が凹部の内面に接触しないようにセル部材を支持する第２支持部を設けることによって、光照射部が検出容器用梱包容器の凹部の内面に接触して傷が付くのを防止することができる。
上記第４の局面による検出容器用梱包容器において、好ましくは、蓋部材および連結部材の少なくとも一方を支持したままセル部材を上昇可能とするための第２凹部をさらに備えている。このように構成すれば、使用者が容易に検出容器を検出容器用梱包容器から取り出すことができる。
【００２５】
この発明の第５の局面による検出容器の梱包構造は、光が照射される光照射部を有するとともに、内部に試料を収容する複数の容器本体を有するセル部材と、複数の容器本体を密閉する複数の密閉部を有する蓋部材と、セル部材と蓋部材とを連結する連結部材とを含む検出容器と、容器本体を収納するための第１凹部と、蓋部材および連結部材の少なくとも一方を支持する第１支持部と、光照射部が凹部の内面に接触しないようにセル部材を支持する第２支持部とを含む検出容器用梱包容器とを備えている。
【００２６】
この第５の局面による検出容器の梱包構造では、上記のように、検出容器用梱包容器に光照射部が凹部の内面に接触しないようにセル部材を支持する第２支持部を設けることによって、光照射部が検出容器用梱包容器の凹部の内面に接触して傷が付くのを防止することができる。
【発明を実施するための最良の形態】
【００２７】
以下、本発明の実施形態を図面に基づいて説明する。
【００２８】
（第１実施形態）
図１は、本発明の第１実施形態による検出セル（検出容器）の蓋が開いた状態を示した斜視図である。図２は、本発明の第１実施形態による検出セルの蓋が閉じた状態を図１の矢印Ａ方向から見た斜視図である。図３〜図１２は、図１に示した検出セルの構成部分の詳細を示した図である。なお、第１実施形態では、本発明の検出容器の一例として、遺伝子増幅検出装置に用いる使い捨て用検出セルについて説明する。すなわち、第１実施形態による検出セルは、その検出セル内に癌由来の標的遺伝子（ｍＲＮＡ）を注入して、ＬＡＭＰ（Ｌｏｏｐ−ｍｅｄｉａｔｅｄ  Ｉｓｏｔｈｅｒｍａｌ  Ａｍｐｌｉｆｉｃａｔｉｏｎ、 栄研化学）法を用いて増幅し、増幅に伴い発生する溶液の濁りを測定することにより標的遺伝子（標的核酸）の検出を行う遺伝子増幅検出装置に用いられる。なお、ＬＡＭＰ法の詳細は、米国特許第６４１０２７８号公報に開示されている。
【００２９】
第１実施形態による検出セル１は、図１に示すように、セル部材１０と、蓋部材２０との２つの部材を一体的に組み合わせることにより構成されている。なお、セル部材１０は、本発明の「容器本体」の一例である。セル部材１０は、光が透過可能な耐熱性の透明樹脂（たとえば、ポリメチルペンテン（ＴＰＸ）などの結晶性のオレフィン系熱可塑性樹脂）からなり、蓋部材２０は、耐熱性の樹脂（たとえば、高密度ポリエチレン）からなる。なお、検出セル１は、検出セル１の製造工程で付着する可能性のある人間の唾液などの分解酵素が遺伝子の増幅に悪影響を及ぼさないように、出荷前に箱詰めした状態で電子線照射が施されている。ポリメチルペンテンは、電子線照射によって変色せず、耐薬品性、耐熱性が高い材料であるので、セル部材１０として好都合である。
【００３０】
ここで、第１実施形態では、検出セル１を構成するセル部材１０には、図１および図３に示すように、２つのセル部１３と、２つのフック係合孔１４と、２つの蓋部材係合孔１５と、２つの位置決め用凹部１６とが一体的に形成されている。なお、セル部１３は、本発明の「容器本体」、「第１容器本体部」および「第２容器本体部」の一例であり、フック係合孔１４は、本発明の「フック係合部」の一例である。また、セル部１３は、下部に位置する矩形形状の光照射部１１と、上部に位置する円形状の開口部１２とを含んでいる。光照射部１１は、試料が注入されるとともに、検出時に光が照射される部分であり、図５に示すような矩形断面形状を有する。また、円形状の開口部１２は、図４に示すように、矩形形状の光照射部１１の横断面積よりも大きい横断面積を有する。
【００３１】
光照射部１１には、図５に示すように、実質的に平坦な内面を有する光入射壁１１１と、光入射壁１１１に対して約３ｍｍ以上約４ｍｍ以下の間隔を隔てて平行に対向するように配置された実質的に平坦な内面を有する光出射壁１１２とからなる一対の光透過壁が設けられている。このように、光入射壁１１１と光出射壁１１２との間隔を約３ｍｍ以上に設定することにより、光照射によって試料の濁度の変化などを容易に検出することが可能になる。また、光入射壁１１１と光出射壁１１２との間隔を約４ｍｍ以下に設定することにより、検出に必要な試料の量を少なくすることが可能になる。また、光入射壁１１１および光出射壁１１２は、共に、約０．５ｍｍ以下の厚みを有する。このように、光入射壁１１１および光出射壁１１２を約０．５ｍｍ以下の小さい厚みで形成することにより、試料に熱を効率よく伝達することが可能になる。
【００３２】
また、光照射部１１には、光入射壁１１１および光出射壁１１２を連結するように、約１．５ｍｍ以上約３ｍｍ以下の間隔を隔てて対向配置された一対の実質的に平坦な内面を有する側壁１１３および１１４が設けられている。このように、一対の側壁１１３および１１４間の間隔を約１．５ｍｍ以上に設定することにより、検出時に、一対の側壁１１３および１１４間に位置する光入射壁１１１および光出射壁１１２に光を容易に照射することが可能になる。また、一対の側壁１１３および１１４間の間隔を約３ｍｍ以下に設定することにより、検出に必要な試料の量を少なくすることが可能になる。また、側壁１１３および１１４は、共に、約０．５ｍｍ以下の厚みを有する。このように、側壁１１３および１１４を約０．５ｍｍ以下の小さい厚みで形成することにより、試料に熱を効率よく伝達することが可能になる。これらの光入射壁１１１、光出射壁１１２、一対の側壁１１３および１１４により、図５に示すような実質的に矩形状（長方形状）の内面形状を有する光照射部１１が構成されている。
【００３３】
また、側壁１１３および１１４は、それぞれ、光入射壁１１１の表面に対して突出する突出部１１３ａおよび１１４ａと、光出射壁１１２の表面に対して突出する突出部１１３ｂおよび１１４ｂとを含んでいる。これらの突出部１１３ａ、１１３ｂ、１１４ａおよび１１４ｂは、図示しない検出装置に、セル部１３をセットする際に、光入射壁１１１および光出射壁１１２の表面に傷が付くのを防止する機能を有する。ただし、突出部１１３ａ、１１３ｂ、１１４ａおよび１１４ｂの光入射壁１１１および光出射壁１１２に対する突出量を大きくすると、光入射壁１１１および光出射壁１１２と検出装置の加温部（図示せず）との距離が大きくなるため、加温効率が低下する。したがって、加温効率の低下を抑制するためには、突出部１１３ａ、１１３ｂ、１１４ａおよび１１４ｂの突出量をできるだけ小さくするのが好ましい。具体的には、突出部１１３ａ、１１３ｂ、１１４ａおよび１１４ｂの光入射壁１１１および光出射壁１１２に対する突出量は、約０．２ｍｍ〜約０．３ｍｍ以下に設定するのが好ましい。
【００３４】
また、図５に示す断面において、光照射部１１の内面の４つの隅部１１５は、約０．５ｍｍ以下（好ましくは、約０．１ｍｍ以上約０．３ｍｍ以下）の曲率半径を有する実質的に円弧状の曲面形状を有する。このように、隅部１１５の内面を実質的に円弧状の曲面形状に形成することにより、試料などの攪拌時に、隅部１１５に気泡が付きにくいとともに、流れ状態が良好になるので、撹拌効率を向上させることが可能になる。また、隅部１１５の内面の曲率半径を約０．５ｍｍ以下と小さくすることによって、隅部１１５の内面を円弧状の曲面形状にすることに起因する光入射壁１１１および光出射壁１１２の面積の減少を極力抑制することが可能になる。また、隅部１１５の内面を約０．１ｍｍ以上約０．３ｍｍ以下の範囲の曲率半径を有するように構成すれば、撹拌効率を向上させながら、光透過壁の面積の減少を極力抑制することが可能になる。
【００３５】
また、図６に示すように、突出部１１３ａ、１１３ｂ、１１４ａおよび１１４ｂの最下部には、面取り部１１３ｃおよび１１４ｃが設けられている。この面取り部１１３ｃおよび１１４ｃにより、図示しない検出装置にセル部１３をセットする際に、セル部１３のセットを円滑に行うことが可能になる。
【００３６】
また、図４に示す横断面において、セル部材１０の光照射部１１の底面部１１６は、実質的に円弧状の曲面形状に形成されている。これにより、試料が微量で液量が少ない場合にも光照射による検出が可能な液面高さを得ることが可能になる。
【００３７】
また、図３および図７に示すように、セル部材１０のフック係合孔１４には、後述する蓋部材２０のフック部３２のフック係合孔１４への挿入を容易にするための傾斜部１４ａと、フック部３２の先端部が係合する係合部１４ｂとが設けられている。また、図３および図８に示すように、セル部材１０の蓋部材係合孔１５には、後述する蓋部材２０のセル部材係合片４２の先端部が係合する係合部１５ａが設けられている。
【００３８】
また、検出セル１を構成する蓋部材２０は、図９に示すように、蓋部３０と、セル部材取付部４０と、蓋部３０とセル部材取付部４０とを連結するための連結部５０とから構成されている。蓋部３０には、２つの密閉部３１と、２つのフック部３２と、つまみ部３３と、位置修正部３４とが一体的に形成されている。また、セル部材取付部４０には、２つのセル部材取付孔４１と、２つのセル部材係合片４２と、２つの位置決め用凸部４３と、２つの検出装置取付部４４とが一体的に形成されている。なお、セル部材取付部４０は、本発明の「容器本体取付部」の一例であり、セル部材取付孔４１は、本発明の「容器本体取付孔」の一例である。また、セル部材係合片４２は、本発明の「容器本体係合片」の一例である。
【００３９】
蓋部３０の密閉部３１は、セル部材１０（図１参照）の２つの開口部１２に対応する位置に設けられている。この密閉部３１は、図１０に示すように、２つのセル部１３の開口部１２（図４参照）を密閉可能な形状に形成されている。また、２つのフック部３２は、図９に示すように、密閉部３１を閉めた状態で、セル部材１０（図１参照）の２つのフック係合孔１４に係合可能なように配置されている。つまみ部３３は、蓋部３０の端面中央部に設けられている。このつまみ部３３は、検出終了後に図２に示す状態の検出セル１を廃棄する際に、使用者が検出セル１を把持しやすいように設けられている。また、位置修正部３４は、蓋部３０の２つの密閉部３１間に、伸縮可能に設けられている。この位置修正部３４は、２つの開口部１２に対する２つの密閉部３１の位置を修正する機能を有する。
【００４０】
また、図９に示すように、セル部材取付部４０のセル部材取付孔４１には、セル部材１０（図１参照）の２つのセル部１３が挿入される。また、２つのセル部材係合片４２は、図９に示すように、セル部材取付部４０の中央部に、所定の間隔を隔てて対向するように設けられており、図１１に示すような先端部が先細りした断面形状を有する。このセル部材係合片４２は、セル部材１０の２つの蓋部材係合孔１５の係合部１５ａ（図８参照）に係合する。また、セル部材取付部４０の２つの位置決め用凸部４３は、図９に示すように、セル部材取付部４０の両端部に配置されており、セル部材１０の２つの位置決め用凹部１６（図３参照）に嵌め込まれる。また、セル部材取付部４０の２つの検出装置取付部４４は、図９に示すように、セル部材取付部４０の裏面に設けられており、検出セル１を図示しない検出装置に取り付けるために設けられている。この検出装置取付部４４は、図１１に示すように、中央で分割されるとともに、側面に突起部４４ａを有する。
【００４１】
また、連結部５０は、図１２に示すように、２つの厚肉部５０ａと、２つの厚肉部５０ａ間に位置する薄肉部５０ｂとによって構成されている。そして、薄肉部５０ｂは、密閉部３１を閉める際に曲がる方向（図１２の矢印Ｄ方向）に、屈曲しやすいように、凹状に湾曲した形状を有する。
【００４２】
図１に示した検出セル１を組み立てる際には、蓋部材２０のセル部材取付部４０の２つのセル部材取付孔４１（図９参照）に、セル部材１０の２つのセル部１３（図３参照）を挿入するとともに、セル部材取付部４０のセル部材係合片４２（図９参照）を、セル部材１０の蓋部材係合孔１５の係合部１５ａ（図８参照）に係合させる。また、セル部材取付部４０の２つの位置決め用凸部４３（図９参照）に、セル部材１０の２つの位置決め用凹部１６（図３参照）を嵌め込む。これにより、検出セル１が一体的に組み立てられる。
【００４３】
なお、図１に示す密閉部３１が開いた状態から、図２に示すように、密閉部３１を閉めた状態にすると、蓋部３０の２つのフック部３２がそれぞれ対応のセル部材１０のフック係合孔１４に係合する。これにより、密閉部３１が閉じられた状態（密閉状態）で保持される。
【００４４】
図１３〜図１５は、第１実施形態の検出セルによる遺伝子検出動作を説明するための概略図である。次に、図１３〜図１５を参照して、第１実施形態による検出セル１の遺伝子検出動作について説明する。第１実施形態による検出セル１では、上記したように、検出セル１内に癌由来の標的遺伝子（ｍＲＮＡ）が注入されて、ＬＡＭＰ法を用いて増幅され、増幅に伴い発生する溶液の濁りを測定することにより標的遺伝子（標的核酸）の検出が行われる。なお、第１実施形態による検出セル１の遺伝子検出動作に用いる検出装置２０１は、図１３に示すように、反応部（増幅部）２１０と、蓋閉め機構部２２０と、検出セル１内の液濁度を検出する濁度検出部２３０とを含んでいる。反応部２１０には、光を検出セルに照射するための光照射溝２１１が設けられている。蓋閉め機構部２２０は、図示しない駆動機構により回転される軸２２１と、軸２２１に取り付けられ、軸２２１の回転に伴って回動する蓋密閉用アーム２２２とを含んでいる。また、濁度検出部２３０は、基板２３１ａに取り付けられたＬＥＤ光源部２３０ａと、基板２３１ｂに取り付けられたフォトダイオード受光部２３０ｂとから構成されている。
【００４５】
検出セル１を用いた具体的な遺伝子検出動作としては、まず、検出セル１のセル部１３を検出装置２０１の反応部２１０にセットするとともに、検出セル１の蓋部３０を蓋閉め機構部２２０の蓋密閉用アーム２２２上に載置する。そして、検出セル１のセル部１３の光照射部１１内に、標的遺伝子を含むことが疑われる試料および試薬を注入した後、検出セル１の蓋閉めを行う。図１３には、セル部１３内への試料および試薬の注入が行われた直後の蓋部３０が開いた状態が示されている。この状態から、図示しない駆動機構によって回転される軸２２１に取り付けられた蓋密閉用アーム２２２が、軸２２１を支点として、図１３の矢印の方向に回動される。これにより、蓋密閉用アーム２２２上に載置された蓋部３０の密閉部３１は、セル部１３の開口部１２側に回動されて、図１４に示すように、セル部１３の開口部１２に対して蓋部３０の密閉部３１が閉められる。なお、密閉部３１が一度閉められると、蓋部３０のフック部３２とセル部材１０のフック係合孔１４とが係合されることにより、密閉部３１が閉められた状態（密閉状態）が保持されるので、密閉部３１が再び開くのが防止される。この後、軸２２１が反対方向に回転されて、軸２２１に取り付けられた蓋密閉用アーム２２２は、図１５に示すように、初期位置に戻る。このようにして、蓋閉めが行われる。
【００４６】
上記した蓋閉めが完了した後、セル部１３の光照射部１１内の液温を、加温部（図示せず）により約２０℃から約６５℃に加温することによって、ＬＡＭＰ（遺伝子増幅）反応により標的遺伝子（ｍＲＮＡ）を増幅する。そして、増幅に伴い生成される増幅生成物による白濁を濁度検出部２３０を用いて比濁法により検出する。具体的な検出方法としては、図１５に示すように、ＬＥＤ光源部２３０ａから約１ｍｍの直径を有する光を、矢印Ｂ方向（図１および図１５参照）に、反応部２１０の光照射溝２１１を介して、増幅反応時のセル部１３の光照射部１１の光入射壁１１１に照射する。そして、光照射部１１の光出射壁１１２から出射される光を、フォトダイオード受光部２３０ｂにより受光する。これにより、増幅反応時のセル部１３の光照射部１１内の液濁度を測定する。そして、この測定データから試料中の標的遺伝子（ｍＲＮＡ）のコピー数が急増するまでの時間である増幅立ち上がり時間を、濁度の変化に基づいて検出する。そして、予め作成された検量線に基づいて、増幅立ち上がり時間から標的遺伝子の濃度が算出される。なお、検量線は、横軸に増幅立ち上がり時間、縦軸に標的遺伝子濃度をとった曲線であり、一般に、増幅立ち上がり時間が短いほど、標的遺伝子濃度が高くなる。このようにして、遺伝子（核酸）検出動作が行われる。なお、遺伝子検出動作が終了した後、使用者は、検出セル１のつまみ部３３を把持して検出セル１を廃棄する。
【００４７】
第１実施形態では、上記のように、セル部材１０と蓋部材２０とを一体的に組み立てることにより検出セル１を構成することによって、セル部材１０と蓋部材２０とが一体的に連結された構造になるので、蓋部材２０の蓋部３０が他の検出セル１上に落下することがない。これにより、蓋部材２０の落下に起因して他の検出セル１内の試料が汚染されるという不都合も生じない。
【００４８】
また、第１実施形態では、フック部３２およびフック係合孔１４を設けることによって、フック部３２とフック係合孔１４とを係合させることにより、容易に、検出セル１の蓋部３０が閉められた状態を保持することができるので、外力により蓋部３０が開くのを防止することができる。これにより、蓋部３０が開くことに起因するセル部１３内の試料による他の試料や試薬の汚染を防止することができる。また、フック部３２とフック係合孔１４とは、蓋部３０の密閉部３１がセル部１３の開口部１２を密閉した状態で、係合するように構成されているので、セル部１３の開口部１２が密閉部３１により密閉された状態を保持することができる。
【００４９】
また、第１実施形態では、セル部１３に、光が照射される光照射部１１を設けることによって、セル部１３の光照射部１１内の試料に外部から光を照射することにより、標的遺伝子の検出を行うことができる。
【００５０】
また、第１実施形態では、開口部１２の横断面積を光照射部１１の横断面積よりも大きくすることによって、開口部１２の横断面積が小さい場合に比べて、開口部１２への試料の注入を容易に行うことができる。また、横断面積の小さい光照射部１１により、微量の試料の場合にも、試料の測定に必要な液面高さを得ることができるので、微量の試料の場合にも光の照射により試料の測定を行うことができる。また、開口部１２を円形状にすることによって、開口部１２を矩形形状などにする場合に比べて、蓋部３０の密閉部３１による密閉をより容易に行うことができる。
【００５１】
また、第１実施形態では、セル部材１０に、２つのセル部１３を設けるとともに、蓋部３０に２つの密閉部３１を設けることによって、２つの試料の検出を並行して行うことができるので、検出の迅速化を図ることができる。
【００５２】
また、第１実施形態では、２つの密閉部３１の間に、伸縮可能な位置修正部３４を設けることによって、２つの開口部１２に対する２つの密閉部３１の位置がずれていた場合にも、容易に、２つの密閉部３１の位置を適正な位置に修正することができるので、２つの開口部１２に対して密閉部３１による密閉を確実に行うことができる。
【００５３】
また、第１実施形態では、蓋部材２０の蓋部３０に、つまみ部３３を設けることによって、使用者は、検出終了後につまみ部３３を把持して検出セル１を容易に廃棄することができる。
【００５４】
（第２実施形態）
図１６〜図１９は、本発明の第２実施形態による検出セル用梱包容器の構造を説明するための図であり、図２０〜図２４は、本発明の第２実施形態による検出セル用梱包容器に検出セルを収納した状態を説明するための図である。また、図２５および図２６は、図２０に示した本発明の第２実施形態による検出セル用梱包容器から検出セルを取り出す動作を説明するための図である。なお、本発明の第２実施形態による検出セル用梱包容器に収納される検出セルは、上記第１実施形態で説明した検出セル（図１〜図１２参照）と同様である。まず、図１６〜図１９および図２４〜図２６を参照して、本発明の第２実施形態による検出セル用梱包容器７００の構造について説明する。
【００５５】
第２実施形態による検出セル用梱包容器７００は、図１６〜図１８に示すように、検出セル１を収納するための凹部７１０と、凹部７１０に囲まれるように形成された凸形状の第１支持部７２０と、第１支持部７２０に連続して形成された凸形状の第２支持部７３０と、凹部７１０の開口部分から外側に延びるように形成された縁部７４０とを含んでいる。なお、検出セル用梱包容器７００は、本発明の「検出容器用梱包容器」の一例であり、第１支持部７２０および第２支持部７３０は、本発明の「支持部」の一例である。この検出セル用梱包容器７００は、光をある程度透過する半透明な樹脂（たとえば、ポリプロピレン）からなり、外部から検出セル１が収納されていることを視認することができるように構成されている。また、検出セル１を取り出した後、複数個の検出セル用梱包容器７００を互いに重ね合わせて破棄することができるように、検出セル用梱包容器７００の凹部７１０の内側面は、上から下に向かって内側に傾斜した形状に形成されている。
【００５６】
凹部７１０の第１支持部７２０より矢印Ｇ側の部分を第１凹部７１０ｂと呼び、矢印Ｅ側の部分を第２凹部７１０ｃと呼ぶ。第１凹部７１０ｂは、セル部１３を収納する。第２凹部７１０ｃは、第１支持部７２０が蓋部材２０の一部を支持したままセル部１３を上昇可能とするための空間である。第１凹部７１０ｂの横断面積は、セル部１３の横断面積より大きい。第１凹部７１０ｂの底面から第２支持部７３０の上面までの長さは、セル部１３の底面から開口部１２までの長さよりも大きい。従って、光照射部１１は第１凹部７１０ｂに収納された状態で第１凹部７１０ｂの内面に接触しない。なお、以下の説明において「第２支持部７３０がセル部材１０を支持する」には、第２支持部７３０が蓋部材２０を介してセル部材１０を支持する場合も、第２支持部７３０が蓋部材２０を介さずにセル部材１０を支持する場合も含むものとする。
【００５７】
検出セル用梱包容器７００の凹部７１０の所定の位置には、後述する検出セル１の取出動作の際に、検出セル１のつまみ部３３が入り込むための溝部７１１が形成されている（図２５および図２６参照）。また、第１支持部７２０の上部には、検出セル１を収納する際の位置決めとなる位置決め用凸部７２１が形成されている。また、図１６〜図１８に示すように、第２支持部７３０のＧ方向の端部は、凹部７１０の側面に接続されている。この第２支持部７３０のＦ方向の幅は、第１支持部７２０のＦ方向の幅よりも小さい。また、縁部７４０は、図１６の矢印Ｅの方向に向かって上方に傾斜した形状を有する。この縁部７４０には、図１６〜図１９に示すように、凹部７１０を取り囲むように溶着部７４１が形成されている。この溶着部７４１は、図２４に示すように、内部に検出セル１が収納された検出セル用梱包容器７００をポリプロピレンなどからなるシート７５０により密閉する際の熱処理時に、溶解および凝固することによってシート７５０と検出セル用梱包容器７００の縁部７４０とを接合させるために設けられている。また、縁部７４０の所定の部分には、図１６および図１７に示すように、斜辺部７４２が形成されている。この斜辺部７４２は、使用者が、シート７５０（図２４参照）により密閉された検出セル用梱包容器７００を開封する際に、シート７５０の端部７５０ａを把持して開封しやすくするために設けられている。
【００５８】
次に、図２０〜図２６を参照して、本発明の第２実施形態による検出セル用梱包容器７００における検出セル１の梱包構造について説明する。まず、図２０〜図２３に示すように、検出セル１は、検出セル用梱包容器７００内に、水平に収納されている。この検出セル１のセル部材１０の２つのセル部１３は、セル側連結部１０ａにより連結されており、検出セル１の蓋部３０の２つの密閉部３１は、蓋側連結部３０ａにより連結されている。なお、セル側連結部１０ａは、本発明の「第１連結部」の一例であり、蓋側連結部３０ａは、本発明の「第２連結部」の一例である。検出セル１が検出セル用梱包容器７００内に収納された状態では、検出セル１のセル側連結部１０ａは、検出セル用梱包容器７００の第２支持部７３０により支持されているとともに、検出セル１の蓋側連結部３０ａのセル側連結部１０ａ側の部分は、第１支持部７２０により支持されている。また、図２０および図２１に示すように、検出セル１を検出セル用梱包容器７００内に収納した状態では、第１支持部７２０の位置決め用凸部７２１は、検出セル１のセル側連結部１０ａ、蓋側連結部３０ａおよび２つの連結部５０によって囲まれる部分に入り込む。この位置決め用凸部７２１が、検出セル１のセル側連結部１０ａに当接することにより、検出セル１のＥ方向（図２０参照）の移動が規制される。これにより、検出セル１のつまみ部３３および２つのフック部３２は、検出セル用梱包容器７００の凹部７１０の内面に接触しない状態で、検出セル用梱包容器７００内に収納されている。
【００５９】
また、検出セル１のセル部材１０のＧ方向（図２０参照）の端部に位置する外側面が検出セル用梱包容器７００の凹部７１０の内側面に当接することにより、検出セル１のＧ方向の移動が規制される。また、検出セル１のセル部材１０のＦ方向（図２０参照）の両端に位置する外側面が検出セル用梱包容器７００の凹部７１０の内側面に当接することにより、検出セル１のＦ方向の移動が規制される。また、上記したＥ方向、Ｆ方向およびＧ方向の移動の規制によって、検出セル１のセル部１３の光照射部１１は、図２１〜図２３に示すように、凹部７１０の内面に接触しない状態で、検出セル用梱包容器７００内に収納されている。
【００６０】
次に、図２０、図２３、図２５および図２６を参照して、検出セル１の取出動作について説明する。この第２実施形態では、検出セル１は、シート７５０（図２４参照）により密閉された検出セル用梱包容器７００内に収納された状態で出荷される。このため、使用者は、検出セル１を使用する際に、検出セル１を検出セル用梱包容器７００から取り出す必要がある。
【００６１】
この検出セル１の取出動作の際には、まず、使用者は、両手に手袋をした状態で、一方の手で検出セル用梱包容器７００を保持するとともに、他方の手を用いて検出セル用梱包容器７００を密閉しているシート７５０（図２４参照）の端部７５０ａを把持して開封する。そして、一方の手の検出セル用梱包容器７００を保持していない指で検出セル１のつまみ部３３を上方向から下方向（図２０および図２３の矢印Ｉの方向）に押圧する。これにより、図２５および図２６に示すように、第１支持部７２０に当接した蓋部３０の蓋側連結部３０ａの裏面を支点にして、すなわち、第１支持部７２０が蓋部３０を支持したままの状態で検出セル１のセル部材１０側が上方向（図２３、図２５および図２６の矢印Ｊの方向）に回動される。図２５および図２６に示した状態では、蓋部３０の一部が第２凹部７１０ｃに入り込み、検出セル１のつまみ部３３の所定の部分が第１支持部７２０の側面７２０ａに当接するとともに、検出セル１の２つのフック部３２が凹部７１０の側面７１０ａ（図２６参照）に当接している。また、図２５および図２６に示した状態では、検出セル１が検出セル用梱包容器７００に対して傾斜した状態になるとともに、検出セル１のセル部材１０が凹部７１０の開口部分から上方の外側に突出した状態になる。なお、この検出セル１が回動する過程において、検出セル１のセル部１３の光照射部１１は、図２３および図２５に示すように、凹部７１０の内面に接触することはない。そして、検出セル１が傾斜した状態から、使用者は、検出セル用梱包容器７００を保持していない他方の手で、検出セル１の上方に突出したセル部材１０の長手方向の両側側面を挟むように把持して、検出セル１を検出セル用梱包容器７００から取り出す。そして、取り出した検出セル１を、図１３に示した第１実施形態の遺伝子検出動作に用いる検出装置２０１の反応部（増幅部）２１０にセットする。
【００６２】
第２実施形態では、上記のように、検出セル用梱包容器７００を、検出セル１を収納するための凹部７１０と、セル部材１０のセル側連結部１０ａを支持する凸形状の第２支持部７３０と、蓋部３０の蓋側連結部３０ａのセル側連結部１０ａ側の一部を支持する凸形状の第１支持部７２０とから構成するとともに、その第１支持部７２０および第２支持部７３０を、検出セル１のセル部１３の光照射部１１が検出セル用梱包容器７００の凹部７１０の内面に接触しないように、検出セル１を支持するように構成することによって、検出セル１のセル部１３が検出セル用梱包容器７００の内面に接触して傷が付くのを防止することができる。
【００６３】
また、第２実施形態では、検出セル１を支持した状態で検出セル１のつまみ部３３に上方向から押圧力を加えることにより検出セル１を傾斜させて取り出すことが可能なように、第１支持部７２０および第２支持部７３０を構成することによって、使用者が容易に検出セル用梱包容器７００から検出セル１を取り出すことができる。
【００６４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６５】
たとえば、上記第１実施形態では、セル部材１０と蓋部材２０との２つの部材を一体的に組み合わせることによって蓋が一体的に連結された検出セル１を構成する例を示したが、本発明はこれに限らず、蓋が一体的に連結された検出セルを１つの部材により形成してもよい。
【００６６】
また、上記第１実施形態では、セル部１３の開口部１２を円形状にした例を示したが、本発明はこれに限らず、セル部１３の開口部１２を矩形状などの円形状以外の形状にしてもよい。
【００６７】
また、上記第１実施形態では、蓋部の密閉状態を保持するための密閉状態保持部の一例として、フック部およびフック係合孔を示したが、本発明はこれに限らず、フック部およびフック係合孔以外の密閉状態保持部を用いてもよい。
【００６８】
また、上記第１実施形態では、本発明の検出セル（検出容器）を、標的遺伝子をＬＡＭＰ法により増幅させるための検出セルに適用した例を示したが、本発明はこれに限らず、標的遺伝子をポリメラーゼ連鎖反応法（ＰＣＲ法）やリガーゼ連鎖反応法（ＬＣＲ法）により増幅させる検出容器に適用してもよい。また、本発明の検出セルを、遺伝子増幅以外の検出セルに適用してもよい。
【００６９】
また、上記第２実施形態では、検出セルのつまみ部を上方向から押圧することにより検出セルを検出セル用梱包容器から取り出す場合について説明したが、本発明はこれに限らず、つまみ部を有しない検出セルの場合には、検出セルの蓋側連結部のセル側連結部とは反対側の部分を上方向から押圧することにより検出セルを検出セル用梱包容器から取り出すようにしてもよい。
【００７０】
なお、上記第２実施形態では、第１凹部７１０ｂと第２凹部７１０ｃとが連続している場合について説明したが、本発明はこれに限らず、第１支持部７２０などによって第１凹部７１０ｂと第２凹部７１０ｃとが分離していてもよい。
【００７１】
また、上記第２実施形態では、第１支持部７２０が蓋部３０の一部を支持している場合について説明したが、本発明はこれに限らず、第１支持部７２０が連結部５０を支持するようにしてもよい。
【００７２】
また、上記第２実施形態では、第２支持部７３０がセル側連結部１０ａを支持する場合について説明したが、本発明はこれに限らず、セル部材１０の２つのセル部１３より外側の部分を支持するようにしてもよい。
【図面の簡単な説明】
【００７３】
【図１】本発明の第１実施形態による検出セル（検出容器）の蓋が開いた状態を示した斜視図である。
【図２】本発明の第１実施形態による検出セルの蓋が閉じた状態を図１の矢印Ａ方向から見た斜視図である。
【図３】図１に示した検出セルを構成するセル部材を示した斜視図である。
【図４】図３に示したセル部材の１００−１００線に沿った断面図である。
【図５】図３に示したセル部材の２００−２００線に沿った断面図である。
【図６】図３に示したセル部材をＢ方向から見た部分拡大図である。
【図７】図３に示したセル部材の３００−３００線に沿った断面図である。
【図８】図３に示したセル部材の４００−４００線に沿った断面図である。
【図９】図１に示した検出セルを構成する蓋部材を示した斜視図である。
【図１０】図９に示した蓋部材の５００−５００線に沿った断面図である。
【図１１】図９に示した蓋部材の６００−６００線に沿った断面図である。
【図１２】図９に示した蓋部材の連結部を矢印Ｃ方向から見た側面図である。
【図１３】図１に示した検出セルの検出動作を説明するための概略図である。
【図１４】図１に示した検出セルの検出動作を説明するための概略図である。
【図１５】図１に示した検出セルの検出動作を説明するための概略図である。
【図１６】本発明の第２実施形態による検出セル用梱包容器を示した斜視図である。
【図１７】図１６に示した検出セル用梱包容器の平面図である。
【図１８】図１７に示した検出セル用梱包容器の８００−８００線に沿った断面図である。
【図１９】図１７に示した検出セル用梱包容器の８１０−８１０線に沿った部分断面図である。
【図２０】図１６に示した本発明の第２実施形態による検出セル用梱包容器に検出セルを収納した状態を示した斜視図である。
【図２１】図２０に示した検出セルを収納した検出セル用梱包容器の平面図である。
【図２２】図２０に示した検出セルを収納した検出セル用梱包容器を矢印Ｈ方向から見た正面図である。
【図２３】図２１に示した検出セルを収納した検出セル用梱包容器の８２０−８２０線に沿った断面図である。
【図２４】図２０に示した検出セルを収納した検出セル用梱包容器をシートで密閉した状態を示した斜視図である。
【図２５】図２０に示した本発明の第２実施形態による検出セル用梱包容器から検出セルを取り出す動作を説明するための図である。
【図２６】図２０に示した本発明の第２実施形態による検出セル用梱包容器から検出セルを取り出す動作を説明するための図である。
【符号の説明】
【００７４】
１  検出セル（検出容器）
１０  セル部材（容器本体）
１０ａ  セル側連結部（第１連結部）
１１  光照射部
１２  開口部
１３  セル部（容器本体、第１容器本体部、第２容器本体部）
１４  フック係合孔（フック係合部）
１５  蓋部材係合孔
２０  蓋部材
３０  蓋部
３０ａ  蓋側連結部（第２連結部）
３１  密閉部
３２  フック部
３３  つまみ部
４０  セル部材取付部（容器本体取付部）
４１  セル部材取付孔（容器本体取付孔）
４２  セル部材係合片（容器本体係合片）
１１１  光入射壁
１１２  光出射壁
１１３、１１４  側壁
１１３ａ、１１３ｂ、１１４ａ、１１４ｂ  突出部
７００  検出セル用梱包容器（検出容器用梱包容器）
７１０  凹部
７１０ｂ  第１凹部
７１０ｃ  第２凹部
７２０  第１支持部（支持部）
７３０  第２支持部（支持部）
【図１】
2005098961.tif 000003
【図２】
2005098961.tif 000004
【図３】
2005098961.tif 000005
【図４】
2005098961.tif 000006
【図５】
2005098961.tif 000007
【図６】
2005098961.tif 000008
【図７】
2005098961.tif 000009
【図８】
2005098961.tif 000010
【図９】
2005098961.tif 000011
【図１０】
2005098961.tif 000012
【図１１】
2005098961.tif 000013
【図１２】
2005098961.tif 000014
【図１３】
2005098961.tif 000015
【図１４】
2005098961.tif 000016
【図１５】
2005098961.tif 000017
【図１６】
2005098961.tif 000018
【図１７】
2005098961.tif 000019
【図１８】
2005098961.tif 000020
【図１９】
2005098961.tif 000021
【図２０】
2005098961.tif 000022
【図２１】
2005098961.tif 000023
【図２２】
2005098961.tif 000024
【図２３】
2005098961.tif 000025
【図２４】
2005098961.tif 000026
【図２５】
2005098961.tif 000027
【図２６】
2005098961.tif 000028